(57)【要約】【課題】本発明は、有機溶剤を塗布又は含む部材からガス状の有機溶剤を抽出する場合に、洩れガスを少なくすることである。【解決手段】本発明による有機溶剤の抽出装置は、抽出機(1)の抽出槽(2)の側部に水シール部(9)を設け、前記抽出槽(2)の蓋であるカバー(5)の開閉によって水シール部(9)の開閉を連動させ、前記抽出機(1)の稼働中は前記シール部(9)が閉となって抽出槽(2)内が密閉され、非稼働時に前記カバー(5)を開けると、水シール部(9)は開となり、カバー(5)に設けたガス回収装置(32)によってガス(50)の回収を行う構成である。【選択図】図３
2019009036.tif 000002
【特許請求の範囲】
【請求項１】
有機溶剤を塗布又は含む状態の部材(8)からのガス(50)を抽出機(1)の抽出槽(2)内を経て外部に導出し、前記抽出槽(2)の上部開口(3)にはカバー(5)が開閉自在又は着脱自在に設けられた構成よりなる有機溶剤の抽出装置において、
前記カバー(5)の一側又は両側又は全周に設けられた水シール部(9)の一部(45a)及びガス回収管(33)を有するカバー張り出し部(41)と、前記水シール部(9)を形成するための前記カバー張り出し部(41)から垂下すると共に前記一部(45a)をなすカバー縁(45)と、前記抽出機(1)の中間板(35)上に立設し前記抽出槽(2)の内側に位置する内側壁(37)と、前記中間板(35)上に立設し前記抽出槽(2)の外側に位置する外側壁(36)と、を備え、
前記内側壁(37)と外側壁(36)と中間板(35)で形成されるシール水槽(14a)に水(W)が収容された状態で、前記カバー(5)によって前記抽出槽(2)が閉じられた時は、前記内側壁(37)と外側壁(36)との間の前記カバー縁(45)の下端(45b)と前記中間板(35)の底部(35a)間の第１隙間(G)が形成され、前記抽出槽(2)内と外部とは前記水シール部(9)によって遮蔽状態となり、前記遮蔽状態において前記カバー(5)が上方へ移動すると、前記カバー(5)が前記抽出機(1)から離間し、前記カバー縁(45)の前記下端(45b)と水面(Wa)との間の第２隙間(G1)を介して前記ガス(50)がガス回収装置(32)へ取り込まれるように構成したことを特徴とする有機溶剤の抽出装置。
【請求項２】
前記カバー縁(45)のカバー縁高さｈ1と、前記内側壁(37)の内側壁高さｈ2と、前記外側壁(36)の外側壁高さｈ3における高さ関係は、ｈ2＜ｈ3、ｈ1＝＜ｈ3であることを特徴とする請求項１記載の有機溶剤の抽出装置。
【請求項３】
前記カバー(5)が前記水シール部(9)の外側壁(36)の上部開口(3)に載置され、前記外側壁(36)の上部開口(3)が前記カバー張り出し部(41)の裏面(41a)に接触した状態で、前記上部開口(3)と前記裏面(41a)によって形成される内面角部(80)に、前記ガス(50)の漏れを防止するためのシール剤(42)が設けられていることを特徴とする請求項１又は２記載の有機溶剤の抽出装置。
【請求項４】
前記外側壁(36)の外面(36b)には、前記シール水槽(14a)内に水(W)を供給するための供給水ポンプ(40)が設けられていることを特徴とする請求項１ないし３の何れか１項に記載の有機溶剤の抽出装置。
【発明の詳細な説明】
【技術分野】
【０００１】
本発明は、有機溶剤の抽出装置に関し、特に、抽出槽とカバーとの間に設けた水シール部により、稼働中のガスの外部への漏れを防止し、カバーを上にあげて水シール部を開状態とした場合には、ガスを外部で回収するための新規な改良に関する。
【背景技術】
【０００２】
従来、用いられていた抽出機としては、例えば、特許文献１の「電池用セパレータの製造装置」を挙げることができる。図示していないが、上部解放電の箱状をなす抽出機内に、多数のローラとチューブからなるダクトチューブ型搬送装置を設け、溶剤が塗布された帯状の押出成形シートを前記搬送装置で多層のループ状に搬送させ、搬送中の押出成形シートに塗布された有害な溶剤の揮発を極力少なくすることができる構成である。
【０００３】
また、この種の抽出機には各種の形式があるが、いずれの機種でも、装置の不具合確認や、メンテナンスのための開口部が必要になり、その蓋には閉めたときに内部の有機溶媒を遮蔽する機能と開閉作業の容易性が共に求められる。例えば、図５及び図６で示される従来構成が通常採用されていたが、図５に示される第１従来構成の場合、抽出機１の抽出槽２の上部開口３には鍔部４が設けられ、前記上部開口３を覆うため、取手７を有するカバー５が前記鍔部４に設けたパッキン６及びボルト４ａを介して載置されている。
また、有機溶剤を塗布又は含む帯状の部材８は、前記抽出槽２の槽内２ａに設けられ、前述の有機溶剤を塗布又は含んだ状態の搬送装置によって搬送できるように構成されている。
【０００４】
また、図６で示す従来構成では、図５で示した従来構成とほぼ類似の構成であるため、図５と同一又は同等部分には同一符号を用いるが、断面でみると、上部開口３の両側に水シール部９,９ａが設けられ、取手７を有するカバー５に設けられた内側壁３７が前記上部開口３の外側に位置している。
前記抽出槽２の中間板３５上には、外側壁３６が一体又は別体にて垂直に設けられ、前記各外側壁３６と前記各上部開口３の開口壁３ａとの間には、シール水Ｗを溜めるためのシール水槽１４,１４ａが各々設けられている。
【０００５】
前記外側壁３６の外面には、前記シール水槽１４ａ内に供給水Ｗを供給するための給水バルブ２１が設けられ、この供給水Ｗは各シール水槽１４，１４ａの両方に供給できるように構成されている。
前記外側壁３６の外面には、排水ポンプ２５が設けられ、この排水ポンプ２５の作動により、前記回転駆動シール水槽１４，１４ａ内の水を直ちに水処理設備３０へ供給し水の浄化（有機溶剤等の除去）を行うことができるように構成されている。
【先行技術文献】
【特許文献】
【０００６】
【特許文献１】特開２００２−３４６９７７号公報
【発明の概要】
【発明が解決しようとする課題】
【０００７】
従来の有機溶剤の抽出装置は、以上のように構成されているため、次のような課題が存在していた。
すなわち、前述の図５及び図６で示される従来構成のうち、まず、図５で示されるパッキンを用いた装置では、使用中において、カバー５がパッキン６を介して鍔部４がボルト４ａによって締結されているため、抽出機１が稼働中においては、部材８から溶出した有機溶剤を含むガスが外に漏洩することはなく、機密性が完全に保たれるが、パッキン６の劣化によっては、洩れが発生することがあった。
しかしながら、カバー５を除去して内部の部材を外に取り出す時は、カバー５を取手７を持って開けるため、開口３が開放され、内部のガスが一度に外部に出てしまうことになっていた。
【０００８】
また、図６で示される従来構成においては、前述のパッキンの代りにシール水１３を用いた水シール部９が設けられ、給水バルブと排水ポンプ２５によって水を取替えているため、抽出槽２内を密閉とするためのパッキンほどの精度を必要とする部品は用意することが不要であるが、抽出機内の溶媒（一般的には塩化メチレン）が水に僅かながら溶解するため、水を取替えせずに長時間放置すると、シール水の溶媒濃度が上昇し、各水シール部は上部解放型であるため、外気に直接接している外気側から発散が始まり、工場内の作業環境濃度が悪化する。
そのため、水シール部の取替えが必要となり、廃棄した水の処理設備や廃棄費用と云ったコストがかかっていた。
【０００９】
本発明は、以上のような課題を解決するためになされたもので、特に、抽出槽とカバーとの間に設けた水シール部により、稼働中のガスの外部への漏れを防止し、カバーを上にあげて水シール部を開状態とした場合には、ガスを外部で回収できるようにした有機溶剤の抽出装置を提供することを目的とする。
【課題を解決するための手段】
【００１０】
本発明による有機溶剤の抽出装置は、有機溶剤を塗布又は含む状態の部材からのガスを抽出機の抽出槽内を経て外部に導出し、前記抽出槽の上部開口にはカバーが開閉自在又は着脱自在に設けられた構成よりなる有機溶剤の抽出装置において、前記カバーの一側又は両側又は全周に設けられた水シール部の一部及びガス回収管を有するカバー張り出し部と、前記水シール部を形成するための前記カバー張り出し部から垂下すると共に前記一部をなすカバー縁と、前記抽出機の中間板上に立設し前記抽出槽の内側に位置する内側壁と、前記中間板上に立設し前記抽出槽の外側に位置する外側壁と、を備え、前記内側壁と外側壁と中間板で形成されるシール水槽に水が収容された状態で、前記カバーによって前記抽出槽が閉じられた時は、前記内側壁と外側壁との間の前記カバー縁の下端と前記中間板の底部間の第１隙間が形成され、前記抽出槽内と外部とは前記水シール部によって遮蔽状態となり、前記遮蔽状態において前記カバーが上方へ移動すると、前記カバーが前記抽出機から離間し、前記カバー縁の前記下端と水面との間の第２隙間を介して前記ガスがガス回収装置へ取り込まれるようにした構成であり、また前記カバー縁のカバー縁高さｈ1と、前記内側壁の内側壁高さｈ2と、前記外側壁の外側壁高さｈ3における高さ関係は、ｈ2＜ｈ3、ｈ1＝＜ｈ3であり、また、前記カバーが前記水シール部の外側壁の上部開口に載置され、前記外側壁の上部開口が前記カバー張り出し部の裏面に接触した状態で、前記上部開口と前記裏面によって形成される内面角部に、前記ガスの漏れを防止するためのシール剤が設けられている構成であり、また、前記外側壁の外面には、前記シール水槽内に水を供給するための供給水ポンプが設けられている構成である。
【発明の効果】
【００１１】
本発明による有機溶剤の抽出装置は、以上のように構成されているため、次のような効果を得ることができる。
すなわち、有機溶剤を塗布又は含む状態の部材からのガスを抽出機の抽出槽内を経て外部に導出し、前記抽出槽の上部開口にはカバーが開閉自在又は着脱自在に設けられた構成よりなる有機溶剤の抽出装置において、前記カバーの一側又は両側又は全周に設けられた水シール部の一部及びガス回収管を有するカバー張り出し部と、前記水シール部を形成するための前記カバー張り出し部から垂下すると共に前記一部をなすカバー縁と、前記抽出機の中間板上に立設し前記抽出槽の内側に位置する内側壁と、前記中間板上に立設し前記抽出槽の外側に位置する外側壁と、を備え、前記内側壁と外側壁と中間板で形成されるシール水槽に水が収容された状態で、前記カバーによって前記抽出槽が閉じられた時は、前記内側壁と外側壁との間の前記カバー縁の下端と前記中間板の底部間の第１隙間が形成され、前記抽出槽内と外部とは前記水シール部によって遮蔽状態となり、前記遮蔽状態において前記カバーが上方へ移動すると、前記カバーが前記抽出機から離間し、前記カバー縁の前記下端と水面との間の第２隙間を介して前記ガスがガス回収装置へ取り込まれるように構成したことにより、外気側に設置した局所排気回路である水シール部で外気側に発散する溶剤を回収し、工場の適正な環境濃度を保つことが可能である。また、本発明では、自然蒸発するシール水の補充は必要だが、イニシャルコストおよびランニングコストが必要な水処理設備が不要なためコストダウンが期待できる。
また、一般的の抽出機には溶剤用ガス回収回路が設置されており、既存のダクトおよび配管に本発明の局所排気回路である水シール部を接続するだけで比較的低コストで本発明による構成を追加することが可能である。
また、前記カバー縁のカバー縁高さｈ1と、前記内側壁の内側壁高さｈ2と、前記外側壁の外側壁高さｈ3における高さ関係は、ｈ2＜ｈ3、ｈ1＝＜ｈ3であることにより、カバーを閉じた時には抽出槽が閉となり、カバーを開けた時には、カバー縁と水面との間に間隙が形成され、この間隙を介して抽出槽内のガスを回収することができる。
また、前記カバーが前記水シール部の外側壁の上部開口に載置され、前記外側壁の上部開口が前記カバー張り出し部の裏面に接触した状態で、前記上部開口と前記裏面によって形成される内面角部に、前記ガスの漏れを防止するためのシール剤が設けられていることにより、外側壁とカバー張り出し部の接続部分のシールを完全とすることができる。
また、前記外側壁の外面には、前記シール水槽内に水を供給するための供給水ポンプが設けられていることにより、水シール部内の水の自然減等に対応することができる。
構成である。
【図面の簡単な説明】
【００１２】
【図１】本発明による有機溶剤の抽出装置の一部を示す概略斜視図である。
【図２】図１のＡ部の拡大断面図である。
【図３】図２の水シール部の閉状態を示す拡大構成図である。
【図４】図３の水シール部の開状態を示す構成図である。
【図５】従来の有機溶剤の抽出装置を示す概略構成図である。
【図６】図５の構成とは異なる他の従来構成を示す概略構成図である。
【発明を実施するための形態】
【００１３】
本発明による有機溶剤の抽出装置は、抽出槽とカバーとの間に設けた水シール部により、稼働中のガスの外部への漏れを防止し、カバーを上にあげて水シール部を開状態とした場合には、ガスを外部で回収することである。
【実施例】
【００１４】
以下、図面と共に本発明による有機溶剤の抽出装置の好適な実施の形態について説明する。
尚、従来例と同一又は同等部分には、同一符号を用いて説明する。
図１は、本発明による有機溶剤の抽出装置を示す斜視図であり、押出機１には、多数の抽出槽２が設けられている。
【００１５】
前記各抽出槽２の上部には、取手７を有するカバー５が開閉又は着脱自在に設けられており、前記抽出槽２内の廃棄用ガスはガス回収管３３を経て共同ガス廃棄用ガス管３１から、ガス回収装置３２へ送られるように構成されている。
前記抽出機１の抽出槽２を示すＡ部は図２として拡大して示されている。
前記抽出槽２の槽内２ａには、図示しない載置台等によって部材８が搬送され、前記部材８に塗布又は含まれる有機溶剤が抽出されるが、抽出された有機溶剤が前記槽内２ａでガスとして、前記カバー５の両側に設けられた一対の前記ガス回収管３３から一対のガス回収装置３２へ送られて回収される。
尚、前記部材８は、例えば、リチウムイオン電池のセパレータ等であり、前記有機溶剤は、例えば、塩化メチレンが用いられている。
【００１６】
前述の図１に示されている小径の前記各ガス回収管３３は、大径の各ガス回収管３３ａに接続されて最終的に前記共同ガス廃棄用ガス管３１に接続されている構成であるが、これらの各管３３,３３ａ，３１を構成するフレキホースの材質はフッ素樹脂（耐薬品性を考慮して）を採用し、フッ素樹脂は柔軟性に乏しいため、カバー５の開閉では外す必要があることにより、図示しないワンタッチ継ぎ手を採用している。
【００１７】
図３は、前記抽出槽２に設けた左右一対の水シール部９の一方のみ示しており、図１の水シール部９の水によるシール時、すなわち、カバー５を閉じている状態の拡大断面図である。尚、一対の前記各水シール部９は、図３に示すように全く同一に構成されている。
図３において、符号１で示されるものは前記抽出機であり、この抽出機１の抽出槽２の上部には、断面Ｌ字型をなす中間板３５が設けられ、この中間板３５上には、シール水槽１４ａを形成するための外側壁３６及び内側壁３７が形成されている。
【００１８】
前記外側壁３６の外側壁高さはｈ３であり、この外側壁３６上の途中位置には、前記シール水槽１４ａ内に水を供給するための供給水ポンプ４０が設けられており、この供給水ポンプ４０は、人手で注水する構成では、設けられていない場合もある。
前記中間板３５と一体でかつ前記外側壁３６の内側には、前記外側壁３６よりも低い内側壁高さｈ２からなる内側壁３７が形成されている。
【００１９】
前記外側壁３６の上部開口３上には、全体形状が蓋型をなし両側部（図３では一方のみを示し、図２では両側を示している）にカバー張り出し部４０を有するカバー５が載置され、前記上部開口３が前記張り出し部４１の裏面４１ａに当接している。尚、図３、図４では片側のみ示し、場合によっては、抽出槽２の全周に形成することもできる。
前述の上部開口３と裏面４１ａの当接状態で、ガスが外部に漏れなければ問題はないが、洩れる場合には、例えば、ポリテトラフルオロエチレン等からなるゴム等の溶剤耐性のある柔軟剤からなるシール剤４２を、前述の上部開口３と裏面４１ａがなす内面角部８０に、設けることにより、有効なシール機能を持たせることができる。
【００２０】
前記カバー張り出し部４１の裏面４１ａで、かつ、前記外側壁３６と内側壁３７の中間位置には、下方に垂下するカバー縁４５が前記カバー張り出し部４１と一体又は別体にて設けられ、前記カバー縁４５の内側壁高さはｈ２で設定されている。
尚、前記カバー縁４５は前記水シール部９の一部４５ａを形成している。
前記カバー縁４５の下端４５ｂは、前記中間板３５を含む前記シール水槽１４ａの底部１４ｂに対して非接触状態であり、第１隙間Ｇが形成されている。
【００２１】
前述のカバー縁高さｈ１、内側壁高さｈ２及び外側壁高さｈ３の各高さの関係は、ｈ２＜ｈ３，ｈ１＝＜ｈ３であり、前記シール水槽１４ａ内に充填された水Ｗは、前記第１隙間Ｇを水Ｗでシールすることができるように構成されている。
【００２２】
図３では、前記カバー５を閉じ、前記水シール部９が閉状態であるため、稼働中の前記抽出槽２では、前記部材８の有機溶剤から発散するガス５０は、前記水シール部９で遮断され、前記抽出機１の外部に漏洩することはない。
また、前記抽出機１を長時間にわたり稼動又は休止していた場合においては、前記シール水槽１４ａ内の水Ｗが多少減少することがあるが、そのような場合には、前記供給水ポンプ４０が前記外側壁３６に設けられている構成では、図示しない水位センサを介して前記供給水ポンプ４０が駆動され、前記水Ｗが所定の水位に達すると、前記供給水ポンプ４０の駆動が停止するように構成されている。
【００２３】
次に、前記抽出機１の稼動が終了して、前記部材８を前記抽出槽２から外部に取り出す場合、まず、図３のカバー５の取手７（図１及び図２に示す）を上方へ持ち上げると、図４で示されるように、前記カバー５は上方へ移動すると共に、前記カバー縁４５もカバー５と一体であるため、前記カバー縁４５の下端４５ｂと前記水面Ｗａとの間に第２間隙Ｇ１が発生する。
【００２４】
前記第２隙間Ｇ１の発生により、前記抽出槽２内の前記ガス５０は、この第２隙間Ｇ１を介してガス回収装置３２へ接続されたガス回収管３３へ吸引されて処理される。
前記カバー張り出し部４１の下端４１ｂと、前記外側壁３６との間に形成された開口７０から外部にガス５０が逃げようとするが、前記ガス回収管３３の吸引力が強いため、ガス５０の外部への廃棄は少なくすることができる。
尚、前記水シール部９は、前記内側壁37、カバー縁４５、外側壁３６及び中間板３５より主としてなり、前記水シール部９は、図２の抽出槽２の両側又は全周に設けることもできる。
【００２５】
次に、本発明による有機溶剤の抽出装置の要旨とするところは、以下の通りである。
すなわち、有機溶剤を塗布又は含む状態の部材８からのガス５０を抽出機１の抽出槽２内を経て外部に導出し、前記抽出槽２の上部開口３にはカバー５が開閉自在又は着脱自在に設けられた構成よりなる有機溶剤の抽出装置において、前記カバー５の一側又は両側又は全周に設けられた水シール部９の一部４５ａ及びガス回収管３３を有するカバー張り出し部４１と、前記水シール部９を形成するための前記カバー張り出し部４１から垂下すると共に前記一部４５ａをなすカバー縁４５と、前記抽出機(1)の中間板３５上に立設し前記抽出槽２の内側に位置する内側壁３７と、前記中間板３５上に立設し前記抽出槽２の外側に位置する外側壁３６と、を備え、前記内側壁３７と外側壁３６と中間板３５で形成されるシール水槽１４ａに水Ｗが収容された状態で、前記カバー５によって前記抽出槽２が閉じられた時は、前記内側壁３７と外側壁３６との間の前記カバー縁４５の下端４５ｂと前記中間板３５の底部３５ａ間の第１隙間Ｇが形成され、前記抽出槽２内と外部とは前記水シール部９によって遮蔽状態となり、前記遮蔽状態において前記カバー５が上方へ移動すると、前記カバー５が前記抽出機１から離間し、前記カバー縁４５の前記下端４５ｂと水面Ｗａとの間の第２隙間Ｇ1を介して前記ガス５０がガス回収装置３２へ取り込まれるようにした構成であり、また、前記カバー縁４５のカバー縁高さｈ1と、前記内側壁３７の内側壁高さｈ2と、前記外側壁３６の外側壁高さｈ3における高さ関係は、ｈ2＜ｈ3、ｈ1＝＜ｈ3である構成であり、また、前記カバー５が前記水シール部９の外側壁３６の上部開口３に載置され、前記外側壁３６の上部開口３が前記カバー張り出し部４１の裏面４１ａに接触した状態で、前記上部開口３と前記裏面４１ａによって形成される内面角部８０に、前記ガス５０の漏れを防止するためのシール剤４２が設けられている構成であり、また、前記外側壁３６の外面３６ｂには、前記シール水槽１４ａ内に水Ｗを供給するための供給水ポンプ４０が設けられている構成である。
【産業上の利用可能性】
【００２６】
本発明による有機溶剤の抽出装置は、抽出槽の開口に着脱できるカバーを設け、このカバーにカバー張り出し部４０のカバー縁と抽出槽に設けた内側壁と外側壁とによって水シール部を設け、この水シール部の開閉によってガスを回収し、ガスの外部への漏れを防止することができる。
【符号の説明】
【００２７】
１    抽出機
２    抽出槽
２ａ    槽内
３    上部開口
５    カバー
７    取手
８    部材
９    水シール部
１４ａ    シール水槽
３１    共同ガス廃棄用ガス管
３２    ガス回収装置
３３    ガス回収管
３５    中間板
３５ａ    底部
３６    外側壁
３７    内側壁
４０    供給水ポンプ
４１    カバー張り出し部
４１ａ    裏面
４２    シール剤
４５    カバー縁
４５ａ    一部
４５ｂ    下端
ｈ１    カバー縁高さ
ｈ２    内側壁高さ
ｈ3    外側壁高さ
Ｇ    第１隙間
Ｇ1    第２隙間
Ｗ    水
Ｗａ    水面
【図１】
2019009036.tif 000003
【図２】
2019009036.tif 000004
【図３】
2019009036.tif 000005
【図４】
2019009036.tif 000006
【図５】
2019009036.tif 000007
【図６】
2019009036.tif 000008